(57)【特許請求の範囲】
【請求項１】
通信装置との通信を行う通信部として、データを書き込み可能な不揮発性メモリを内蔵する通信部を有する画像処理装置であって、
前記画像処理装置の動作モードとして、所定の電源から電力が供給される通常動作モードと、前記通常動作モードよりも供給される電力が低い待機電力モードを少なくとも有する複数種類の動作モードの内、どの動作モードであるかを特定するための動作モード情報を前記不揮発性メモリに記憶する記憶手段と、
前記通信部により、前記通信装置から、前記画像処理装置に対する動作要求を受信する受信手段と、
前記受信手段で前記動作要求を受信した場合、前記不揮発性メモリに記憶された動作モード情報により特定される動作モードに応じて、前記動作要求に対する前記画像処理装置の動作を制御する制御手段と、
を備え、
前記制御手段は、前記画像処理装置の前記動作モードが前記待機電力モードであり、前記動作要求が動作の実行指示である場合、前記動作要求に対応する動作を実行するための前記画像処理装置内のユニットを起動して前記動作を実行するための制御を行い、前記動作要求に前記実行指示が含まれず動作予約が含まれ、かつ前記不揮発性メモリの空き領域が所定量以下である場合、前記動作要求に対応する動作を実行するための前記画像処理装置内のユニットを起動させるための起動情報を、前記不揮発性メモリに書き込む、
ことを特徴とする画像処理装置。
【請求項２】
前記制御手段は、前記動作要求に前記実行指示が含まれず、動作予約が含まれ、かつ前記不揮発性メモリの空き領域が前記所定量より多い場合、前記動作要求に対応する動作の予約情報を前記不揮発性メモリに書き込む
ことを特徴とする請求項１に記載の画像処理装置。
【請求項３】
通信装置との通信を行う通信部として、データを書き込み可能な不揮発性メモリを内蔵する通信部を有する画像処理装置であって、
前記画像処理装置の動作モードとして、所定の電源から電力が供給される通常動作モードと、前記通常動作モードよりも供給される電力が低い待機電力モードを少なくとも有する複数種類の動作モードの内、どの動作モードであるかを特定するための動作モード情報を前記不揮発性メモリに記憶する記憶手段と、
前記通信部により、前記通信装置から、前記画像処理装置に対する動作要求を受信する受信手段と、
前記受信手段で前記動作要求を受信した場合、前記不揮発性メモリに記憶された動作モード情報により特定される動作モードに応じて、前記動作要求に対する前記画像処理装置の動作を制御する制御手段と、
を備え、
前記制御手段は、前記画像処理装置の前記動作モードが前記待機電力モードであり、前記動作要求が動作の実行指示である場合、前記動作要求に対応する動作を実行するための前記画像処理装置内のユニットを起動して前記動作を実行するための制御を行い、前記動作モードが前記待機電力モードであり、かつ、前記動作要求に前記実行指示が含まれず動作予約が含まれる場合、前記動作要求に対応する動作の予約情報を前記不揮発性メモリに書き込む
ことを特徴とする画像処理装置。
【請求項４】
前記予約情報が前記不揮発性メモリに書き込まれる場合、前記動作要求に対応する動作を実行するための前記画像処理装置内のユニットの起動は行わない、
ことを特徴とする請求項３に記載の画像処理装置。
【請求項５】
前記動作モードが前記待機電力モードから前記通常動作モードになり、かつ、前記不揮発性メモリに前記予約情報が書き込まれている場合、前記予約情報に対応する動作を実行する、
ことを特徴とする請求項３又は４に記載の画像処理装置。
【請求項６】
前記画像処理装置の前記動作モードが前記待機電力モードであり、かつ、前記動作要求が印刷の実行指示である場合、前記画像処理装置が備えるプリンタを起動して、印刷を実行する、
ことを特徴とする請求項１から５のいずれか１項に記載の画像処理装置。
【請求項７】
前記画像処理装置の前記動作モードが前記待機電力モードであり、かつ、前記動作要求がスキャンの実行指示である場合、前記画像処理装置が備えるスキャナを起動して、スキャンを実行する、
ことを特徴とする請求項１から６のいずれか１項に記載の画像処理装置。
【請求項８】
前記複数種類の動作モードは、前記所定の電源から電力が供給されていない電源断モードを含む、
ことを特徴とする請求項１から７のいずれか１項に記載の画像処理装置。
【請求項９】
前記制御手段は、前記画像処理装置の前記動作モードが前記電源断モードであり、かつ、前記不揮発性メモリの空き領域が所定量以下である場合、所定のエラー情報を前記通信部により前記通信装置へ通知する、
ことを特徴とする請求項８に記載の画像処理装置。
【請求項１０】
前記所定の電源からの電力は、ＡＣ電力である、
ことを特徴とする請求項１から９のいずれか１項に記載の画像処理装置。
【請求項１１】
前記通信部には、前記所定の電源とは異なる電源により電力が供給される、
ことを特徴とする請求項１から１０のいずれか１項に記載の画像処理装置。
【請求項１２】
前記通信部はＮＦＣ（Ｎｅａｒ  Ｆｉｅｌｄ  Ｃｏｍｍｕｎｉｃａｔｉｏｎ）により通信を行う、
ことを特徴とする請求項１から１１のいずれか１項に記載の画像処理装置。
【請求項１３】
通信装置との通信を行う通信部として、データを書き込み可能な不揮発性メモリを内蔵する通信部を有する画像処理装置の制御方法であって、
前記画像処理装置の動作モードとして、所定の電源から電力が供給される通常動作モードと、前記通常動作モードよりも供給される電力が低い待機電力モードを少なくとも有する複数種類の動作モードの内、どの動作モードであるかを特定するための動作モード情報を前記不揮発性メモリに記憶する記憶工程と、
前記通信部により、前記通信装置から、前記画像処理装置に対する動作要求を受信する受信工程と、
前記受信工程で前記動作要求を受信した場合、前記不揮発性メモリに記憶された動作モード情報により特定される動作モードに応じて、前記動作要求に対する前記画像処理装置の動作を制御する制御工程と
を備え、
前記制御工程では、前記画像処理装置の前記動作モードが前記待機電力モードであり、前記動作要求が動作の実行指示である場合、前記動作要求に対応する動作を実行するための前記画像処理装置内のユニットを起動して前記動作を実行するための制御を行い、前記動作要求に前記実行指示が含まれず動作予約が含まれ、かつ前記不揮発性メモリの空き領域が所定量以下である場合、前記動作要求に対応する動作を実行するための前記画像処理装置内のユニットを起動させるための起動情報を、前記不揮発性メモリに書き込む、
ことを特徴とする画像処理装置の制御方法。
【請求項１４】
通信装置との通信を行う通信部として、データを書き込み可能な不揮発性メモリを内蔵する通信部を有する画像処理装置の制御方法であって、
前記画像処理装置の動作モードとして、所定の電源から電力が供給される通常動作モードと、前記通常動作モードよりも供給される電力が低い待機電力モードを少なくとも有する複数種類の動作モードの内、どの動作モードであるかを特定するための動作モード情報を前記不揮発性メモリに記憶する記憶工程と、
前記通信部により、前記通信装置から、前記画像処理装置に対する動作要求を受信する受信工程と、
前記受信工程で前記動作要求を受信した場合、前記不揮発性メモリに記憶された動作モード情報により特定される動作モードに応じて、前記動作要求に対する前記画像処理装置の動作を制御する制御工程と、
を備え、
前記制御工程では、前記画像処理装置の前記動作モードが前記待機電力モードであり、前記動作要求が動作の実行指示である場合、前記動作要求に対応する動作を実行するための前記画像処理装置内のユニットを起動して前記動作を実行するための制御を行い、前記動作モードが前記待機電力モードであり、かつ、前記動作要求に前記実行指示が含まれず動作予約が含まれる場合、前記動作要求に対応する動作の予約情報を前記不揮発性メモリに書き込む
ことを特徴とする画像処理装置の制御方法。
【発明の詳細な説明】
【技術分野】
【０００１】
本発明は、画像処理装置及びその画像処理装置と連携するシステムに関するものであり、特に、通信が可能な画像処理装置及びその画像処理装置と連携するシステムに関するものである。
【背景技術】
【０００２】
無線通信システムを搭載した印刷装置の中には、状態や操作に応じて、複数の動作モードに切り替えられるものがある。この動作モードには、所定の電力が供給される通常動作モード、通常動作モードよりも低位の電力が供給される省電力モード、省電力モードよりも低位の電力が供給されるソフト電源ＯＦＦモード、さらにまったく電力が供給されていないＡＣ-ＯＦＦモードがある。
【０００３】
特許文献１には、ＮＦＣデバイスが、省電力状態の情報処理装置に対するデータ読出／書込要求を通信端末から受信すると、ＮＦＣデバイスからの要求に応じて、情報処理装置を起動させる構成が開示されている。
【先行技術文献】
【特許文献】
【０００４】
【特許文献１】特開２０１１−４４０９２号公報
【発明の概要】
【発明が解決しようとする課題】
【０００５】
上述のような印刷装置にＮＦＣデバイスが接続され、且つ、印刷装置が省電力モードもしくは、ソフト電源ＯＦＦモードになっている状態で、特許文献１の技術を適用する場合を考える。例えば、印刷装置が省電力モードのような、通常動作モードとは異なるモードでＮＦＣデバイスにアクセスされた場合に、データの送受信を行うために必ず装置に電力投入を行い、装置の立ち上げを行うことになる。このような場合、電力投入が必要ない場合にも必ず電源投入を行い、装置立ち上げを行ってしまうため、無駄な電力を消費してしまうことになる。
【０００６】
本発明は上記の課題を解決するためになされたものであり、その目的は、無駄な消費電力を使用することなく画像処理装置の動作を制御することである。
【課題を解決するための手段】
【０００７】
上記の目的を達成するための本発明による画像処理装置は以下の構成を備える。即ち、
通信装置との通信を行う通信部として、データを書き込み可能な不揮発性メモリを内蔵する通信部を有する画像処理装置であって、
前記画像処理装置の動作モードとして、所定の電源から電力が供給される通常動作モードと、前記通常動作モードよりも供給される電力が低い待機電力モードを少なくとも有する複数種類の動作モードの内、どの動作モードであるかを特定するための動作モード情報を前記不揮発性メモリに記憶する記憶手段と、
前記通信部により、前記通信装置から、前記画像処理装置に対する動作要求を受信する受信手段と、
前記受信手段で前記動作要求を受信した場合、前記不揮発性メモリに記憶された動作モード情報により特定される動作モードに応じて、前記動作要求に対する前記画像処理装置の動作を制御する制御手段と、
を備え、
前記制御手段は、前記画像処理装置の前記動作モードが前記待機電力モードであり、前記動作要求が動作の実行指示である場合、前記動作要求に対応する動作を実行するための前記画像処理装置内のユニットを起動して前記動作を実行するための制御を行い、前記動作要求に前記実行指示が含まれず動作予約が含まれ、かつ前記不揮発性メモリの空き領域が所定量以下である場合、前記動作要求に対応する動作を実行するための前記画像処理装置内のユニットを起動させるための起動情報を、前記不揮発性メモリに書き込む、
ことを特徴とする。
【発明の効果】
【０００８】
本発明によれば、無駄な消費電力を使用することなく画像処理装置の動作を制御することが可能である。
【図面の簡単な説明】
【０００９】
【図１】無線通信システムの構成の一例を示す図である。
【図２】携帯型通信端末装置の外観を示す図である。
【図３】ＭＦＰの外観を示す図である。
【図４】ＭＦＰの操作部の一例を示す図である。
【図５】ＮＦＣ通信におけるパッシブモードの概念図である。
【図６】ＮＦＣ通信におけるアクティブモードの概念図である
【図７】携帯型通信端末装置の構成を示すブロック図である
【図８】ＭＦＰの構成を示すブロック図である。
【図９】ＮＦＣユニットの詳細構成を示す図である。
【図１０】ＭＦＰのＵＩ構成部の一例を示す図である。
【図１１】ＭＦＰのＲＡＭの構成を示す図である。
【図１２】ＭＦＰの不揮発性メモリの構成を示す図である。
【図１３】ＭＦＰのＮＦＣメモリの構成を示す図である。
【図１４】ＮＦＣユニットがイニシエータとして動作するためのフローチャートである。
【図１５】パッシブモードによるデータ交換を行うシーケンスを示す図である。
【図１６】アクティブモードによるデータ交換を行うシーケンスを示す図である。
【図１７】データ交換要求の通信パケット例を示す図である。
【図１８】プリンタアプリケーションのＵＩの一例を示す図である。
【図１９】携帯型通信端末装置からの起動要求時のフローチャートである。
【図２０】通常動作モード状態でない場合の装置設定変更のフローチャートである。
【図２１】通常動作モード状態でない場合の印刷指示のフローチャートである。
【図２２】通常動作モード状態でない場合のスキャン指示のフローチャートである。
【図２３】通常動作モード状態でない場合のコピー指示のフローチャートである。
【図２４】通常動作モード状態でない場合のＦＡＸ指示のフローチャートである。
【発明を実施するための形態】
【００１０】
以下に、図面を参照しながら、本発明の好適な実施形態を例示的に詳しく説明する。但し、本実施形態に記載されている構成要素の相対配置、表示画面等は、特に、特定的な記載がない限りは、この発明の範囲をそれらのみに限定する趣旨のものではない。
【００１１】
本実施形態では、近接無線通信方式を用いて通信装置と画像処理装置間でデータ送受信を行い通信装置の動作要求に応じて、画像処理装置の起動（電源立ち上げ）方法を変更する例を説明する。更に具体的には、ＮＦＣ（Ｎｅａｒ  Ｆｉｅｌｄ  Ｃｏｍｍｕｎｉｃａｔｉｏｎ）のような近接無線通信でデータ送受信を行い、通信装置の動作要求に応じて、あるいは装置の状態によって、画像処理装置の起動方法の変更について説明する。
【００１２】
尚、近接無線通信とは、ＮＦＣに代表される、通信範囲が、比較的小さい所定範囲（例えば、１メートル〜数センチ）となる無線通信を意味する。
【００１３】
図１は無線通信システムの構成を示す図である。
【００１４】
携帯型通信端末装置２００は、画像処理装置として、印刷、スキャン、ＦＡＸ、コピー等が可能なマルチファンクションプリンタ（以後、ＭＦＰ）３００が接続されている。携帯型通信端末装置２００は、認証方法、通信速度が違う少なくとも２種類以上の無線通信部を有する装置である。携帯型通信端末装置２００は、例えば、ＰＤＡ（Ｐｅｒｓｏｎａｌ  Ｄｉｇｉｔａｌ  Ａｓｓｉｓｔａｎｔ）等の個人情報端末、携帯電話、デジタルカメラ等、印刷対象となるファイルを扱える装置であれば何でも良い。
【００１５】
ＭＦＰ３００は、原稿台に原稿を載せて原稿を読み取る読取機能と、インクジェットプリンタ等の印刷部を用いた印刷機能を有しており、その他、ＦＡＸ機能や電話機能を有していても良い。
【００１６】
携帯型通信端末装置２００とＭＦＰ３００は共にＮＦＣによる近接無線通信部を有し、携帯型通信端末装置２００に電力供給が無い状態でも、携帯型通信端末装置２００をＭＦＰ３００にＮＦＣ通信可能な所定距離に近づけることで、近接無線通信が可能である。また、ＭＦＰ３００は、ＮＦＣとは別の通信部によって、外部のネットワークやパーソナルコンピュータや、ディスプレイに接続されていても良い。
【００１７】
図２は携帯型通信端末装置２００の外観を示す図である。
【００１８】
本実施形態では、スマートフォンを例にしている。スマートフォンとは、携帯電話の機能の他に、カメラや、ネットブラウザ、メール機能等を搭載した多機能型の携帯電話のことである。近接無線通信部であるＮＦＣユニット２０１は、ＮＦＣを用いて通信を行うユニットであり、実際にＮＦＣユニット２０１を相手先のＮＦＣユニットに所定距離（例えば、１０ｃｍ程度）以内に近づけることで通信を行うことができる。
【００１９】
ＷＬＡＮユニット２０２はＷＬＡＮで通信を行うためのユニットであり、携帯型通信端末装置２００内に配置されている。表示部２０３は、例えば、ＬＣＤ方式の表示機構を備えたディスプレイである。操作部２０４は、タッチパネル方式の操作機構を備えており、ユーザの押下情報を検知する。代表的な操作方法には表示部２０３がボタンアイコンやソフトウェアキーボードのの表示を行い、ユーザが操作部２０４を押下することによってボタンが押下されたイベントを発行することである。電源キー２０５は電源のオン、及びオフをする際に用いる。
【００２０】
図３はＭＦＰ３００の外観を示す図である。
【００２１】
本実施形態では、読取機能（スキャナ）を有するＭｕｌｔｉ  Ｆｕｎｃｔｉｏｎ  Ｐｒｉｎｔｅｒ（ＭＦＰ）を例にしている。図３（ａ）において、原稿台３０１は、ガラス状の透明な台であり、原稿をのせてスキャナで読み取る時に使用する。原稿蓋３０２は、スキャナで読取を行う際に読取光が外部に漏れないようにするための蓋である。印刷用紙挿入口３０３は様々なサイズの用紙をセットする挿入口である。印刷用紙挿入口３０３にセットされた用紙は一枚ずつ印刷部に搬送され、所望の印刷を行って印刷用紙排出口３０４から排出される。
【００２２】
図３（ｂ）において、原稿蓋３０２の上部には操作表示部３０５及びＮＦＣユニット３０６が配置されている。操作表示部３０５については、図４を用いて詳細に説明する。ＮＦＣユニット３０６は近接無線通信を行うためのユニットであり、実際に、携帯型通信端末装置２００をＭＦＰ３００に近接させる場所である。ＮＦＣユニット３０６から所定距離（約１０ｃｍ）が接触の有効距離である。ＷＬＡＮアンテナ３０７は、ＷＬＡＮで通信するためのアンテナが埋め込まれている。
【００２３】
図４は操作表示部３０５の平面図である。
【００２４】
表示部４０６は、画像や操作メニュー等のユーザインタフェースを表示する表示画面であり、例えば、ドットマトリクスＬＣＤが例に挙げられる。十字キー４０１は表示部４０６上のカーソル移動等の操作に用いる。セットキー４０２は設定入力のためのキーである。機能キー４０３は機能設定等の操作に用いる。スタートキー４０４は印刷の開始等の機能の実行指示を行う。
【００２５】
次に、ＮＦＣ通信について説明する。ＮＦＣユニットによる近接通信を行う場合、初めにＲＦ（Ｒａｄｉｏ  Ｆｒｅｑｕｅｎｃｙ）フィールドを出力して通信を開始する装置をイニシエータと呼ぶ。また、イニシエータの発する命令に応答し、イニシエータとの通信を行う装置をターゲットと呼ぶ。
【００２６】
ＮＦＣユニットの通信モードには、パッシブモードとアクティブモードが存在する。パッシブモードでは、ターゲットは、イニシエータの命令に対し、負荷変調を行うことで応答する。一方、アクティブモードでは、ターゲットは、イニシエータの命令に対し、ターゲット自らが発するＲＦフィールドによって応答する。
【００２７】
図５はＮＦＣ通信におけるパッシブモードの概念図である。
【００２８】
図５（ａ）のように、イニシエータ５０１からターゲット５０２にデータ５０４をパッシブモードで送信する場合、イニシエータ５０１がＲＦフィールド５０３を発生させる。イニシエータ５０１は、ＲＦフィールド５０３を自ら変調することで、ターゲット５０２にデータ５０４を送信する。
【００２９】
また、図５（ｂ）のように、ターゲット５０６からイニシエータ５０５にデータ５０８をパッシブモードで転送する場合、図５（ａ）と同様にイニシエータ５０５がＲＦフィールド５０７を発生させる。ターゲット５０６は、ＲＦフィールド５０７に対して負荷変調を行うことで、イニシエータ５０５にデータ５０８を送信する。
【００３０】
図６はＮＦＣ通信におけるアクティブモードの概念図である。
【００３１】
図６（ａ）のように、イニシエータ６０１からターゲット６０２にデータ６０４をアクティブモードで送信する場合、イニシエータ６０１がＲＦフィールド６０３を発生させる。イニシエータ６０１は、ＲＦフィールド６０３を自ら変調することで、ターゲット６０２にデータ６０４を送信する。イニシエータ６０１は、データ送信が完了した後、ＲＦフィールド６０３の出力を停止する。
【００３２】
また、図６（ｂ）のように、ターゲット６０６からイニシエータ６０５にデータ６０８をアクティブモードで送信する場合、ターゲット６０６がＲＦフィールド６０７を発生させる。ターゲット６０６は、自らが発するＲＦフィールド６０７によってデータ６０８を送信し、送信が終了したらＲＦフィールド６０７の出力を停止する。
【００３３】
図７は携帯型通信端末装置２００の構成を示すブロック図である。
【００３４】
携帯型通信端末装置２００は、装置自身のメインの制御を行うメインボード７０１と、ＷＬＡＮ通信を行うＷＬＡＮユニット７１７と、ＮＦＣ通信を行うＮＦＣユニット７１８と、Ｂｌｕｅｔｏｏｔｈ（登録商標）通信を行うＢＴユニット７２１からなる。
【００３５】
メインボード７０１において、ＣＰＵ７０２は、システム制御部であり、携帯型通信端末装置２００の全体を制御する。ＲＯＭ７０３は、ＣＰＵ７０２が実行する制御プログラムや組込オペレーティングシステム（ＯＳ）プログラム等を記憶する。本実施形態では、ＲＯＭ７０３に記憶されている各制御プログラムは、ＲＯＭ７０３に記憶されている組込ＯＳの管理下で、スケジューリングやタスクスイッチ等のソフトウェア制御を行う。
【００３６】
ＲＡＭ７０４は、ＳＲＡＭ（Ｓｔａｔｉｃ  ＲＡＭ）等で構成され、プログラム制御変数等のデータを記憶し、また、ユーザが登録した設定値や携帯型通信端末装置２００の管理データ等のデータを記憶し、各種ワーク用バッファ領域が設けられている。
【００３７】
画像メモリ７０５は、ＤＲＡＭ（Ｄｙｎａｍｉｃ  ＲＡＭ）等のメモリで構成され、通信部を介して受信した画像データや、データ蓄積部７１２から読み出した画像データをＣＰＵ７０２で処理するために一時的に記憶する。ここで、通信部とは、ＷＬＡＮユニット７１７と、ＮＦＣユニット７１８及びＢＴユニット７２１を含む通信機能の総称である。  不揮発性メモリ７２２は、フラッシュメモリ（ｆｌａｓｈ  ｍｅｍｏｒｙ）等のメモリで構成され、電源がオフされた後でも保存しておきたいデータを記憶する。これには、例えば、アドレス帳や、メール履歴、発着信履歴、過去に接続したデバイス情報等がある。尚、このようなメモリ構成はこれに限定されるものではない。例えば、画像メモリ７０５とＲＡＭ７０４を共有させてもよいし、データ蓄積部７１２にデータのバックアップ等を行ってもよい。また、本実施形態では、画像メモリ７０５にＤＲＡＭを用いているが、ハードディスクや不揮発性メモリ等の他の記憶媒体を使用する場合もあるのでこの限りではない。
【００３８】
データ変換部７０６は、ページ記述言語（ＰＤＬ）等の解析や、色変換、画像変換等のデータ変換を行う。電話部７０７は、電話回線の制御を行い、スピーカ部７１３を介して入出力される音声データを処理することで電話による通信を実現している。操作部７０８は、操作部２０４（図２）の信号を制御する。ＧＰＳ（Ｇｌｏｂａｌ  Ｐｏｓｉｔｉｏｎｉｎｇ  Ｓｙｓｔｅｍ）７０９は、現在の緯度や経度等の位置情報を取得する。表示部７１０は、表示部２０３（図２）の表示内容を電子的に制御しており、各種入力操作や、ＭＦＰ３００の動作状況、ステータス状況の表示等を行うことができる。
【００３９】
カメラ部７１１は、レンズを介して入力された画像を電子的に記録して符号化する機能を有している。カメラ部７１１で撮影された画像はデータ蓄積部７１２に保存される。スピーカ部７１３は電話機能のための音声を入力または出力する機能や、その他、アラーム通知等の機能を実現する。電源部７１４は、携帯可能な電池であり、装置内への電力供給制御を行う。電源状態には、電池に残量が無い電池切れ状態、電源キー２０５を押下していない電源オフ状態、通常起動している起動状態、起動しているが省電力になっている省電力状態がある。
【００４０】
携帯型通信端末装置２００には無線通信するための通信部が３つ搭載されており、ＷＬＡＮ、ＮＦＣ、Ｂｌｕｅｔｏｏｔｈ（登録商標）で無線通信することができる。これにより、携帯型通信端末装置２００は、ＭＦＰ等の他デバイスとのデータ通信を行う。この通信部では、データをパケットに変換し、他デバイスにパケット送信を行う。逆に、外部の他デバイスからのパケットを、データに変換してＣＰＵ７０２に対して送信する。ＷＬＡＮユニット７１７、ＮＦＣユニット７１８及びＢＴユニット７２１はそれぞれバスケーブル７１５、７１６及び７２０を介してメインボード７０１に接続されている。ＷＬＡＮユニット７１７、ＮＦＣユニット７１８及びＢＴユニット７２１は規格に準拠した通信を実現するためのユニットである。ＮＦＣユニットの詳細は図９を用いて後述する。
【００４１】
メインボード７０１内の各種構成要素（７０３〜７１４、７１７、７１８、７２１及び７２２）は、ＣＰＵ７０２が管理するシステムバス７１９を介して、相互に接続されている。
【００４２】
図８はＭＦＰ３００の構成を示すブロック図である。
【００４３】
ＭＦＰ３００は、装置自身のメインの制御を行うメインボード８０１と、ＷＬＡＮ通信を行うＷＬＡＮユニット８１７と、ＮＦＣ通信を行うＮＦＣユニット８１８と、Ｂｌｕｅｔｏｏｔｈ（登録商標）通信を行うＢＴユニット８１９からなる。
【００４４】
メインボード８０１において、ＣＰＵ８０２は、システム制御部であり、ＭＦＰ３００の全体を制御する。ＲＯＭ８０３は、ＣＰＵ８０２が実行する制御プログラムや組込オペレーティングシステム（ＯＳ）プログラム等を記憶する。本実施形態では、ＲＯＭ８０３に記憶されている各制御プログラムは、ＲＯＭ８０３に記憶されている組込ＯＳの管理下で、スケジューリングやタスクスイッチ等のソフトウェア制御を行う。ＲＡＭ８０４は、ＳＲＡＭ（Ｓｔａｔｉｃ  ＲＡＭ）等で構成され、プログラム制御変数等のデータを記憶し、また、ユーザが登録した設定値やＭＦＰ３００の管理データ等のデータを記憶し、各種ワーク用バッファ領域が設けられている。
【００４５】
不揮発性メモリ８０５は、フラッシュメモリ（ｆｌａｓｈ  ｍｅｍｏｒｙ）等のメモリで構成され、電源がオフされた後でも保持しておきたいデータを記憶する。具体的には、ネットワーク接続情報、ユーザデータ等である。画像メモリ８０６は、ＤＲＡＭ（Ｄｙｎａｍｉｃ  ＲＡＭ）等のメモリで構成され、通信部を介して受信した画像データや、符号復号化処理部８１２で処理した画像データや、メモリカードコントローラ５１６を介して取得した画像データを蓄積する。また、携帯型通信端末装置２００のメモリ構成と同様に、このようなメモリ構成はこれに限定されるものではない。データ変換部８０７は、ページ記述言語（ＰＤＬ）等の解析や、画像データからプリントデータへの変換等を行う。
【００４６】
尚、通信部とは、ＷＬＡＮユニット８１７と、ＮＦＣユニット８１８及びＢＴユニット８１９を含む通信機能の総称である。
【００４７】
読取制御部８０８は、読取部８１０を制御して、例えば、ＣＩＳイメージセンサ（密着型イメージセンサ）によって原稿を光学的に読み取る。次に、電気的な画像データに変換した画像信号を、画像処理制御部（不図示）を介して、２値化処理や中間調処理等の各種画像処理を施し、高精細な画像データを出力する。
【００４８】
操作部８０９及び表示部８１１は、図４での操作表示部３０５に対応する。符号復号化処理部８１２は、ＭＦＰ３００で扱う画像データ（ＪＰＥＧ、ＰＮＧ等）を符号復号化処理や、拡大縮小処理を行う。給紙部８１４は印刷のための用紙を保持する。記録制御部８１６からの制御で給紙部８１４から給紙を行うことができる。特に、給紙部８１４は、複数種類の用紙を一つの装置に保持するために、複数の給紙部を用意することができる。そして、記録制御部８１６により、どの給紙部から給紙を行うかの制御を行うことができる。
【００４９】
記録制御部８１６は、印刷される画像データに対し、画像処理制御部（不図示）を介して、スムージング処理や記録濃度補正処理、色補正等の各種画像処理を施し、高精細な画像データに変換し、記録部８１５に出力する。また、記録制御部８１６は記録部８１５の情報を定期的に読み出してＲＡＭ８０４の情報を更新する役割も果たす。具体的には、インクタンクの残量やプリントヘッドの状態等のステータス情報を更新することである。
【００５０】
ＭＦＰ３００にも、携帯型通信端末装置２００と同様に無線通信するための通信部が３つ搭載されており、機能は同等のため、説明は省略する。ここで、ＷＬＡＮユニット８１７、ＮＦＣユニット８１８及びＢＴユニット８１９はそれぞれバスケーブル８２０、８２１及び８２２を介してメインボード８０１に接続されている。
【００５１】
メインボード８０１内の各種構成要素（８０２〜８１９）は、ＣＰＵ８０２が管理するシステムバス８２６を介して、相互に接続されている。
【００５２】
図９はＮＦＣユニット７１８あるいはＮＦＣユニット８１８で使用されているＮＦＣユニットの詳細を示すブロック図である。
【００５３】
図９では、ＮＦＣユニット７１８（図７）あるいはＮＦＣユニット８１８（図８）をＮＦＣユニット９００として説明する。ＮＦＣユニット９００は、ＮＦＣコントローラ部９０１と、アンテナ部９０２と、ＲＦ部９０３と、送受信制御部９０４と、ＮＦＣメモリ９０５と、電源９０６と、デバイス接続部９０７を有する。
【００５４】
アンテナ部９０２は、他のＮＦＣデバイス（ＮＦＣユニットを搭載するデバイス）から電波やキャリアを受信したり、他のＮＦＣデバイスに電波やキャリアを送信したりする。ＲＦ部９０３は、アナログ信号をデジタル信号に変復調する機能を備えている。ＲＦ部９０３は、シンセサイザを備えていて、バンド、チャネルの周波数を識別し、周波数割当データによるバンド、チャネルの制御を実行する。
【００５５】
送受信制御部９０４は、送受信フレームの組立及び分解、プリアンブル付加及び検出、フレーム識別等、送受信に関する制御を実行する。また、送受信制御部９０４は、ＮＦＣメモリ９０５の制御も行い、各種データやプログラムを読み書きする。アクティブモードとして動作する場合、電源９０６を介して電力の供給を受け、デバイス接続部９０７を通じてデバイスと通信を行ったり、アンテナ部９０２を介して送受信されるキャリアにより、通信可能な範囲にある他のＮＦＣデバイスと通信する。パッシブモードとして動作する場合、アンテナ部９０２を介して他のＮＦＣデバイスからキャリアを受信して電磁誘導により他のＮＦＣデバイスから電力の供給を受け、キャリアの変調により当該他のＮＦＣデバイスとの間で通信を行ってデータを送受信する。
【００５６】
図１０はＭＦＰ３００の表示部４０６の表示例を示す図である。
【００５７】
携帯型通信端末装置２００から印刷ジョブを受信した場合、表示部４０６には印刷ジョブ確認画面１００１が表示される。読取ジョブを受信した場合は読取ジョブ確認画面１００２が表示される。
【００５８】
図１１はＭＦＰ３００のＲＡＭ８０４の構成を示す図である。
【００５９】
１１０１はＲＡＭ８０４の記憶領域全体を表している。ワークメモリ１１０２はプログラムの実行のために確保されるメモリである。画像処理バッファ１１０３は画像処理のために一時的なバッファとして使用される領域である。
【００６０】
機器状態記憶部１１０４はＭＦＰ３００の現在の状態に関する様々な情報が記憶されている。ここでは、エラー状態１１０５、インク残量１１０６、次回推定起動時間１１０７及びその他１１０８がある。
【００６１】
エラー状態１１０５は、ＭＦＰ３００のエラーに関する状態を記憶している。インク少警告、インク無エラー、紙ジャムエラー、用紙無し警告、印刷画像不良警告、読取画像不良エラー、ネットワーク切断警告等がある。これらの警告やエラーには印刷機能への影響度、読取機能への影響度等が関連付けられている。例えば、インク無エラーの場合、印刷機能は使用できないが、読取機能は使用できる。ネットワーク切断警告の場合、ネットワークを使う機能は使用できないが、機器単体で行う設定変更や読取機能は使用できる。
【００６２】
インク残量１１０６には現在取り付けられているインクタンクの型番やインク残量が記憶されている。インクタンクの型番は、インクタンクが取り付けられたタイミングで更新される。インク残量１１０６は、インクが使用される毎に更新される。
【００６３】
次回推定起動時間１１０７は、電源がオフされた時に、次に起動する時の推定起動時間が記憶されている。ＭＦＰ３００の起動時間は状態によって大きく異なる。例えば、ＭＦＰ３００の電源状態は、ハードオフ状態、ソフトオフ状態、通常起動状態、スリープ状態等の状態が存在する。ハードオフ状態は、電力の供給が途絶えている状態であり、電源を投入してハードオフ状態から通常起動状態にする場合は大きな時間を要する。ソフトオフ状態は、部分的には電源は投入されているが、メインのプログラムは起動していない状態であり、ハードオフ状態よりは早い時間で起動することができる。スリープ状態は、電源消費が大きな部分がオフにされており、それ以外のプログラムやメカは動作しているため、直ぐに通常起動状態に戻ることができる。また、起動時間が変動する別の要因として、機器のエラー状態がある。例えば、インクジェット印刷ヘッドのノズルの目詰まりが多いと検知した時は、次の起動で長時間の回復処理を行ってから起動する。また、スキャナの光量が落ちている時は調整動作を行ってから起動する。このように電源の状態遷移、及び機器の状態によって次に起動する時の推定起動時間が決定される。
【００６４】
その他１１０８は、現在のメモリ使用量、ハードウェアの温度、消耗品情報等、その他の機器状態が記憶されている。その他１１０９は、上述の各種データ以外のデータが記憶されている。
【００６５】
図１２はＭＦＰ３００の不揮発性メモリ８０５の構成を示す図である。
【００６６】
１２０１は不揮発性メモリ８０５の記憶領域全体を表している。ユーザデータ１２０２は、ユーザに関する情報が記憶されており、例えば、ＦＡＸの電話番号、通信履歴、ネットワーク情報等が記憶されている。過去に接続した装置リスト１２０３はＭＦＰ３００がこれまでに接続した装置のリストが記憶されている。
【００６７】
例えば、スマートフォンとＮＦＣで通信した場合は、スマートフォンの識別子が記憶される。スマートフォンとＷＬＡＮでＰ２Ｐ（ピアツーピア）接続した場合は、ＷＬＡＮで接続するための識別情報が記憶される。具体的には、ＷＬＡＮ接続のためにＷＰＳ（Ｗｉ−Ｆｉ  Ｐｒｏｔｅｃｔｅｄ  Ｓｅｔｕｐ）が使用される場合は、ＷＰＳ  Ｃｒｅｄｅｎｔｉａｌ認証情報が記憶される。スマートフォンとＢｌｕｅｔｏｏｔｈで接続した場合は、ＯＯＢ認証情報が記憶される。サーバ装置とＬＡＮ経由で接続した場合は、サーバ装置のネットワーク情報が記憶される。設定情報１２０６は、ＭＦＰ３００の装置設定情報が記憶される。この装置設定情報は、例えば、印刷モード等のメニュー項目や、インクジェット印刷ヘッドの補正情報等である。ジョブ予約記憶部１２０７は、ＮＦＣユニット９００のＮＦＣメモリ９０５から印刷予約情報やスキャン予約情報等がコピーされ保存される。その他１２０８は、その他の不揮発情報が記憶される。
【００６８】
図１３はＭＦＰ３００のＮＦＣメモリ９０５の構成を示す図である。
【００６９】
１３０１はＭＦＰ３００のＮＦＣメモリ９０５の記憶領域全体を表している。機器状態記憶部１３０２は、所定のタイミングで機器状態記憶部１１０４（図１１）の内容がコピーされる。ここで、エラー状態１３０３、インク残量１３０４及び次回推定起動時間１３０５はそれぞれ、図１１のエラー状態１１０５、インク残量１１０６及び次回推定起動時間１１０７に対応する。
【００７０】
尚、本実施形態では、次回推定起動時間１３０５に、複数種類の動作モードの内、現在、装置がどの動作モードであるかを示す動作モード情報を記憶管理する。この動作モードには、所定の電力が供給される通常動作モード、通常動作モードよりも供給される電力が低い省電力モード、省電力モードよりも供給される電力が低いソフト電源ＯＦＦモード、電力が供給されていないＡＣ−ＯＦＦモード（電源断モード）がある。ここで、省電力モードとソフト電源ＯＦＦモードは、装置の主電源（通常動作モード）の電力が供給されていない電力消費が低い待機状態にあるモードという意味では共通するため、これらのモードはいずれも待機電力モードともいえる。
【００７１】
ジョブ記憶部１３０６は、携帯型通信端末装置２００からＮＦＣでジョブをＭＦＰ３００に投入する場合に使用する領域である。印刷ジョブ１３０７は、印刷ジョブがキューで格納されている。具体的には、印刷設定、及び画像へのリンク先が格納される。スキャンジョブ１３０８は、スキャンジョブがキューで格納されている。具体的には、読取設定が格納される。コピージョブ１３０９は、コピージョブがキューで格納されている。具体的には、コピー設定が格納される。ＦＡＸジョブ１３１０は、ＦＡＸジョブがキューで格納されている。具体的には、送信先の電話番号や通信画質等が含まれるＦＡＸ設定、及び画像が既に読み取ってある場合は画像へのリンク先が格納される。
【００７２】
設定変更ジョブ１３１１は、設定変更ジョブがキューで格納されている。具体的には、ＭＦＰ３００本体の設定項目の変更に関するジョブが格納される。起動ジョブ領域１３１２は、起動情報が格納されている。具体的には、ＭＦＰ３００のどのユニット（機能：印刷機能、読取機能、ＦＡＸ機能、電話機能等）を起動するかの情報が格納されている。ここで、起動ジョブ領域１３１２は、その記憶領域が予め確保された固定の記憶領域であり、ＮＦＣメモリの空き容量に関係なく、データの読み書きを行うことが可能である。
【００７３】
図１４はＮＦＣユニット９００がイニシエータとして動作するためのフローチャートである。
【００７４】
まず、初めに、ステップＳ１４０１で、すべてのＮＦＣユニット９００はターゲットとして動作し、イニシエータからの命令を待っている状態になる。ここで、ＮＦＣユニット９００は、ＮＦＣ規格による通信を制御するアプリケーションからの要求でイニシエータに切り替わることができる。そこで、ステップＳ１４０２で、ＮＦＣユニット９００がイニシエータに切り替わるかどうかを判定する。ＮＦＣユニット９００がイニシエータに切り替わらない場合（ステップＳ１４０２でＮＯ）、ステップＳ１４０１に戻る。一方、ＮＦＣユニット９００がイニシエータに切り替わる要求に応じることで、ＮＦＣユニット９００がイニシエータに切り替わる場合（ステップＳ１４０２でＹＥＳ）、ステップＳ１４０３に進む。
【００７５】
ステップＳ１４０３で、ＮＦＣユニット９００のアプリケーションは、アクティブモードまたはパッシブモードのどちらかの動作モードを選択し、伝送速度を決める。次に。ステップＳ１４０４で、イニシエータとしてのＮＦＣユニット９００は、自装置以外が出力するＲＦフィールドの存在を検知する。つまり、外部のＲＦフィールドが存在するか否かを判定する。外部のＲＦフィールドが存在する場合（ステップＳ１４０５でＮＯ）、イニシエータは自らのＲＦフィールドは発生させないようにして、ＲＦフィールドが存在しなくなるまで待機する。一方、外部のＲＦフィールドが存在しない場合（ステップＳ１４０４でＮＯ）、ステップＳ１４０５に進み、イニシエータとしてのＮＦＣユニット９００は、自らのＲＦフィールドを発生させる。以上のステップを経て、ＮＦＣユニット９００は、イニシエータとして動作を開始する。
【００７６】
図１５はパッシブモードによるデータ交換を行うシーケンスを示す図である。
【００７７】
ここでは、第一のＮＦＣユニット１５０１がイニシエータ、第二のＮＦＣユニット１５０２がターゲットとして動作している場合について説明する。
【００７８】
まず、ステップＳ１５０１で、第一のＮＦＣユニット１５０１は、単一デバイス検知を行い、第二のＮＦＣユニット１５０２を特定する。次に、ステップＳ１５０２で、第一のＮＦＣユニット１５０１は、属性要求として自身の識別子や送受信のビット伝送速度、有効データ長等を送信する。また、属性要求は、汎用バイトを有しており、任意に選択して使用することができる。
【００７９】
ステップＳ１５０３で、第二のＮＦＣユニット１５０２は、有効な属性要求を受信した場合、属性応答を送信する。ここで、第二のＮＦＣユニット１５０２からの送信は負荷変調によって行われており、図中では負荷変調によるデータ送信は点線の矢印で表現している。
【００８０】
ステップＳ１５０４で、有効な属性応答を確認した後、第一のＮＦＣユニット１５０１は、パラメータ選択要求を送信して、引き続き伝送プロトコルのパラメータを変更することができる。パラメータ選択要求に含まれるパラメータは、伝送速度と有効データ長である。
【００８１】
ステップＳ１５０５で、第二のＮＦＣユニット１５０２は、有効なパラメータ選択要求を受信した場合、パラメータ選択応答を送信して、パラメータを変更する。尚、ステップＳ１５０４及びステップＳ１５０５は、パラメータ変更を行わない場合は省略しても良い。
【００８２】
ステップＳ１５０６で、第一のＮＦＣユニット１５０１と第二のＮＦＣユニット１５０２は、データ交換要求及びデータ交換応答によってデータの交換を行う。データ交換要求及び応答は、通信相手が有するアプリケーションに対する情報等をデータとして伝送することができ、データサイズが大きい場合には分割して送信することもできる。
【００８３】
データ交換が終了すると、ステップＳ１５０７で、第一のＮＦＣユニット１５０１は、選択解除要求または解放要求のどちらか送信する。選択解除要求を送信した場合、第二のＮＦＣユニット１５０２は、ステップＳ１５０８で、選択解除応答を送信する。第一のＮＦＣユニット１５０１は、選択解除応答を受信すると、第二のＮＦＣユニット１５０２を示す属性を解放して、ステップＳ１５０１に戻る。一方、解放要求を送信した場合、第二のＮＦＣユニット１５０２は、ステップＳ１５０８で、解放応答を送信して初期状態へ戻る。第一のＮＦＣユニット１５０１は、解放応答を受信する場合、ターゲットは完全に解放されており、初期状態へ戻ってもよい。
【００８４】
図１６はアクティブモードによるデータ交換を行うシーケンスを示す図である。
【００８５】
ここでは、第一のＮＦＣユニット１６０１がイニシエータ、第二のＮＦＣユニット１６０２がターゲットとして動作している場合について説明する。
【００８６】
まず、ステップＳ１６０１で、第一のＮＦＣユニット１６０１は、属性要求として自身の識別子や送受信のビット伝送速度、有効データ長等を送信する。
【００８７】
ステップＳ１６０２で、第二のＮＦＣユニット１６０２は、有効な属性要求を受信した場合、属性応答を送信する。ここで、第二のＮＦＣユニット１６０２からの送信は、自らの発生したＲＦフィールドによって行われる。このため、第一のＮＦＣユニット１６０１及び第二のＮＦＣユニット１６０２は、データ送信が終了するとＲＦフィールドの出力を停止する。
【００８８】
ステップＳ１６０３で、第一のＮＦＣユニット１６０１は、有効な属性応答を確認した後、パラメータ選択要求を送信して伝送プロトコルのパラメータを変更することができる。パラメータ選択要求に含まれるパラメータは、伝送速度と有効データ長である。
【００８９】
ステップＳ１６０４で、第二のＮＦＣユニット１６０２は、有効なパラメータ選択要求を受信した場合、パラメータ選択応答を送信し、パラメータを変更する。尚、パッシブモードの場合と同様に、ステップＳ１６０３及びステップＳ１６０４は、パラメータ変更を行わない場合は省略しても良い。
【００９０】
ステップＳ１６０５で、第一のＮＦＣユニット１６０１と第二のＮＦＣユニット１６０２は、データ交換要求及びデータ交換応答によってデータの交換を行う。データ交換要求及び応答は、アプリケーションに対する情報等をデータとして伝送することができ、データサイズが大きい場合には分割して送信することもできる。
【００９１】
データ交換が終了すると、ステップＳ１６０６で、第一のＮＦＣユニット１６０１は、選択解除要求または解放要求のどちらか送信する。
【００９２】
第一のＮＦＣユニット１６０１が、選択解除要求を送信した場合、第二のＮＦＣユニット１６０２は、ステップＳ１６０７で、選択解除応答を送信する。第一のＮＦＣユニット１６０１は、選択解除応答を受信すると、第二のＮＦＣユニット１６０２を示す属性を解放する。その後、ステップＳ１６０８で、第一のＮＦＣユニット１６０１は、識別子が既知な別のターゲットに対して起動要求を送信する。起動要求を受信したターゲットは、ステップＳ１６０９で、起動応答を送信し、ステップＳ１６０１に戻る。
【００９３】
一方、第一のＮＦＣユニット１６０１が、解放要求を送信した場合、第二のＮＦＣユニット１６０２は、ステップＳ１６０７で、解放応答を送信する。第一のＮＦＣユニット１６０１は、解放応答を受信すると、ステップＳ１６０８で、解放応答を送信して初期状態へ戻る。第一のＮＦＣユニット１６０１は、解放応答を受信する場合、ターゲットは完全に解放されており、初期状態へ戻ってもよい。
【００９４】
図１７はデータ交換要求のパケット例を示す図である。
【００９５】
ＤＥＰ＿ＲＥＱ命令によって任意のユーザデータを含めて応答することができる。ＤＥＰ＿ＲＥＱ命令を識別するための命令バイとＣＭＤ  ０は「Ｄ４」、ＣＭＤ  １は「０６」に設定しなければならない。Ｂｙｔｅ  ０からＢｙｔｅ  ２はＮＦＣの規格で定められた必須のデータバイトである。Ｂｙｔｅ  ３からＢｙｔｅ  ｎはユーザデータバイトであり、ユーザが任意に選択することができる。データサイズは属性情報（ＡＴＲ）であり、予め定められているが、パラメータ選択命令（ＰＳＬ＿ＲＥＱ）のＦＳＬバイトによって変更されることもある。ここでは、装置設定変更を要求する命令を送信する場合を例に挙げている。ＤＥＶ＿ＳＥＴ＿ＣＨＧ＿ＲＥＱはターゲットに対して装置設定変更を要求する命令である。データサイズは任意であり、ターゲットがもつ機能によって決まる。
【００９６】
図１８は、携帯型通信端末装置２００のプリンタアプリケーションのＵＩ及び、各アプリケーションの設定ＵＩ表示例を示す図である。
【００９７】
図１８（ａ）はプリンタアプリケーション１８０１のＵＩ表示例であり、ＭＦＰ３００に対して、装置設定、印刷、スキャン、コピー、ＦＡＸの実行指示を行うことができる。実行指示項目は、列挙したものに限らず、例えば、装置メンテナンス等の項目を加えてもよい。
【００９８】
図１８（ｂ）は装置設定のＵＩ表示例であり、ＭＦＰ３００に対して、装置設定項目のリストを表示している。ここで、１８０３は次の設定可能項目を参照するための次ページへのカーソル項目、１８０４はＭＦＰ３００の起動時間の変更コントロール、１８０５はネットワーク設定の変更項目、１８０６はインク残量表示を行う項目である。
【００９９】
設定終了後、予約送信ボタン１８０７ａが押下された場合には、ＭＦＰ３００に対して設定変更の予約だけを行い、装置の起動状態（ソフト電源ＯＦＦ状態等）によっては、ＮＦＣユニット７１８（図７）のＮＦＣメモリ上に登録するのみで終了する。確定送信ボタン１８０７ｂが押下された場合には、ＭＦＰ３００の状態によらず装置内部の設定変更を行う。どちらのボタンが押下された場合でも、アプリケーションからの指示に基づいてイニシエータとしての動作を開始し、装置設定アプリケーション画面上に、ＭＦＰ３００との通信準備が整ったことをユーザに通知するメッセージ１８０８を表示する。装置設定項目は、これに限定されるものではなく、例えば、レジ調値の設定を行える項目があってもよい。
【０１００】
図１８（ｃ）は印刷指示を行うためのＵＩ表示例であり、１８１０は普通紙等の用紙種の設定項目、１８１１はＡ４等の用紙幅の設定項目、１８１２はきれい等の印刷モードの設定項目、１８１３は印刷する画像データの指定項目である。
【０１０１】
設定終了後、予約送信ボタン１８１４ａが押下された場合には、ＭＦＰ３００に対して印刷の予約だけを行い、装置の起動状態（ソフト電源ＯＦＦ状態等）によっては、ＮＦＣユニット７１８のＮＦＣメモリ上に登録するのみで終了する。確定送信ボタン１８１４ｂが押下された場合には、ＭＦＰ３００の状態によらず印刷を行う。どちらのボタンが押下された場合でも、アプリケーションからの指示に基づいてイニシエータとしての動作を開始し、印刷指示アプリケーション画面上に、ＭＦＰ３００との通信準備が整ったことをユーザに通知するメッセージ１８１５を表示する。印刷設定項目は、これに限定されるものではなく、任意で決定することができる。
【０１０２】
図１８（ｄ）はスキャン指示を行うためのＵＩ表示例であり、１８１６はスキャン解像度の設定項目、１８１７はＡ４等のスキャン範囲の設定項目、１８１８はスキャン画像の保存先の指定項目である。
【０１０３】
設定終了後、予約送信ボタン１８１９ａが押下された場合には、ＭＦＰ３００に対してスキャンの予約だけを行い、装置の起動状態（ソフト電源ＯＦＦ状態等）によっては、ＮＦＣユニット７１８のＮＦＣメモリ上に登録するのみで終了する。確定送信ボタン１８１９ｂが押下された場合には、ＭＦＰ３００の状態によらずスキャンを行う。どちらのボタンが押下された場合でも、アプリケーションからの指示に基づいてイニシエータとしての動作を開始し、スキャン指示アプリケーション画面上に、ＭＦＰ３００との通信準備が整ったことをユーザに通知するメッセージ１８２０を表示する。スキャン設定項目は、これに限定されるものではなく、任意で決定することができる。
【０１０４】
図１８（ｅ）はコピー指示を行うためのＵＩ表示例であり、１８２１は普通紙等のコピー用紙種の設定項目、１８２２はＡ４等のコピー用紙幅の設定確定送信、１８２３はきれい等のコピーモードの指定項目である。
【０１０５】
設定終了後、予約送信ボタン１８２４ａが押下された場合には、ＭＦＰ３００に対してコピーの予約だけを行い、装置の起動状態（ソフト電源ＯＦＦ状態等）によっては、ＮＦＣユニット７１８のＮＦＣメモリ上に登録するのみで終了する。確定送信ボタン１８２４ｂが押下された場合には、ＭＦＰ３００の状態によらずコピーを行う。どちらのボタンが押下された場合でも、アプリケーションからの指示に基づいてイニシエータとしての動作を開始し、コピー指示アプリケーション画面上に、ＭＦＰ３００との通信準備が整ったことをユーザに通知するメッセージ１８２５を表示する。コピー設定項目は、これに限定されるものではなく、任意で決定することができる。
【０１０６】
図１８（ｆ）はＦＡＸ指示を行うためのＵＩ表示例であり、１８２６はＦＡＸ送信の設定項目、１８２７はＦＡＸ受信の設定項目、この画面の時、送信ボタン１８２８は無効である。
【０１０７】
ＦＡＸ送信設定項目１８２６が押下された場合には、図１８（ｇ）のＦＡＸ送信設定画面に遷移し、ＦＡＸ送信設定が可能になる。１８３０は普通紙等の用紙幅の設定項目、１８３１はＡ４等の用紙サイズの設定項目、１８３２はきれい等の送信モードの設定項目、１８３３はｉＦＡＸを使用する場合の送信データの指定項目である。設定終了後、予約送信ボタン１８３４ａが押下された場合には、ＭＦＰ３００に対してＦＡＸ送信予約だけを行い、装置の起動状態（ソフト電源ＯＦＦ状態等）によっては、ＮＦＣユニット７１８のＮＦＣメモリ上に登録するのみで終了する。確定送信ボタン１８３４ｂが押下された場合には、ＭＦＰ３００の状態によらずＦＡＸ送信を行う。どちらのボタンが押下された場合でも、アプリケーションからの指示に基づいてイニシエータとしての動作を開始し、ＦＡＸ送信アプリケーション画面上に、ＭＦＰ３００との通信準備が整ったことをユーザに通知するメッセージ１８３５を表示する。ＦＡＸ送信設定項目は、これに限定されるものではなく任意で決定することができる。
【０１０８】
ＦＡＸ受信設定項目１８２７が押下された場合には、図１８（ｈ）のＦＡＸ受信設定画面に遷移し、ＦＡＸ受信設定が可能になる。１８３６は受信モード設定項目である。設定終了後、予約送信ボタン１８３７ａが押下された場合には、ＭＦＰ３００に対してＦＡＸ受信予約だけを行い、装置の起動状態（ソフト電源ＯＦＦ状態等）によっては、ＮＦＣユニット７１８のＮＦＣメモリ上に登録するのみで終了する。確定送信ボタン１８３７ｂが押下された場合には、ＭＦＰ３００の状態によらずＦＡＸ受信を行う。どちらのボタンが押下された場合でも、アプリケーションからの指示に基づいてイニシエータとしての動作を開始し、ＦＡＸ受信アプリケーション画面上に、ＭＦＰ３００との通信準備が整ったことをユーザに通知するメッセージ１８３８を表示する。ＦＡＸ受信設定項目は、これに限定されるものではなく任意で決定することができる。
【０１０９】
図１９は携帯型通信端末装置２００からの動作要求に応じて、ＭＦＰ３００の状態によってＭＦＰ３００の各制御部の起動方法を変更するフローチャートである。この処理は、ＭＦＰ３００が携帯型通信端末装置２００から動作要求を受信（第１の受信）し、これを受けて、携帯型通信端末装置２００がＭＦＰ３００から動作要求に対応する応答を受信（第２の受信）する。
【０１１０】
ステップＳ１９０１で、ＮＦＣユニット８１８（図８）のＮＦＣメモリ内部（次回推定起動時間１３０５（図１３））を参照し、ＭＦＰ３００が所定の電力が供給される通常動作モード状態であるか否かを判定する。通常動作モード状態である場合（ステップＳ１９０１でＹＥＳ）、携帯型通信端末装置２００からの動作要求をそのままＣＰＵ８０２に伝え、要求された動作を実施する。
【０１１１】
一方、通常動作モード状態でない場合（ステップＳ１９０１でＮＯ）、ステップＳ１９０２で、通常動作モード状態よりも供給される電力が低い省電力モード状態であるか否かを判定する。更には、ステップＳ１９２２で、省電力モードよりも供給される電力が低いソフト電源ＯＦＦモード状態である否かを判定する。
【０１１２】
省電力モード状態である場合（ステップＳ１９０２でＹＥＳ）もしくはソフト電源ＯＦＦモード状態である場合（ステップＳ１９２２でＹＥＳ）は、ステップＳ１９０３に進み、携帯型通信端末装置２００からの動作要求が動作予約のみであるか否かを判定する。動作予約のみである場合（ステップＳ１９０３でＹＥＳ）、ステップＳ１９０４で、ＮＦＣユニット８１８のＮＦＣメモリ上に空きがあるか否かを判定する。空きがある場合（ステップＳ１９０４でＹＥＳ）、ステップＳ１９０５で、ＮＦＣユニット８１８のＮＦＣメモリ上の該当の予約領域に予約情報を書き込み、終了する。
【０１１３】
尚、ここで空きがある否かは、例えば、ＮＦＣメモリの空き領域が所定量以下であるか否かで判定する。
【０１１４】
一方、空きがない場合（ステップＳ１９０４でＮＯ）、ステップＳ１９０６で、ＮＦＣユニット８１８のＮＦＣメモリ上の起動ジョブ領域１３１２に、起動情報１を書き込み、終了する。
【０１１５】
ここでいう起動情報とは、ＭＦＰ３００のどのユニット（つまり、画像処理装置内のどのユニット）の電源を立ち上げるかを示す情報である。
【０１１６】
起動ジョブ領域１３１２に「１」が入っている場合には、予約情報を保存可能な、不揮発性メモリ８０５をはじめ、情報保存に必要なユニットのみ電源を供給し立ち上げを行う。
【０１１７】
起動ジョブ領域１３１２に「２」が入っている場合には、印刷に必要な記録部８１５、記録制御部８１６をはじめ、印刷に必要なユニットのみに電源を供給し立ち上げを行う。
【０１１８】
起動ジョブ領域１３１２に「３」が入っている場合には、スキャンに必要な読取部８１０、読取制御部８０８をはじめスキャンに必要なユニットのみ電源を供給し立ち上げを行う。
【０１１９】
起動ジョブ領域１３１２に「４」が入っている場合には、コピーに必要な記録部８１５、記録制御部８１６、読取部８１０、読取制御部８０８をはじめコピーに必要なユニットのみ電源を供給し立ち上げを行う。
【０１２０】
起動ジョブ領域１３１２に「５」が入っている場合には、ＦＡＸ送信に必要な読取部８１０、読取制御部８０８、ＦＡＸ制御部８２３、モデム８２５、ＦＡＸ送信に必要なユニットのみに電源を供給し立ち上げを行う。
【０１２１】
起動ジョブ領域１３１２に「６」が入っている場合には、ＦＡＸ受信に必要なＦＡＸ制御部８２３、モデム８２５、ＦＡＸ受信に必要なユニットのみに電源を供給し立ち上げを行う。
【０１２２】
起動ジョブ領域１３１２に「７」が入っている場合には、すべての制御部／処理部に電源を供給し、ＭＦＰ立ち上げを行う。
【０１２３】
起動情報は７個に限定されているわけではなく、必要に応じて増えても構わない。
【０１２４】
ステップＳ１９０３で、動作予約のみでない場合（ステップＳ１９０３でＮＯ）、以降のステップＳ１９０７〜ステップＳ１９１２において、要求動作か何であるか判定する。ステップＳ１９０７で、装置設定変更であるか否かを判定する。装置設定変更である場合（ステップＳ１９０７でＹＥＳ）、ステップ１９０５で、ＮＦＣメモリ上の起動ジョブ領域１３１２に起動情報１を書き込む。
【０１２５】
装置設定変更でない場合（ステップＳ１９０７でＮＯ）、ステップＳ１９０８で、印刷指示であるか否かを判定する。印刷指示である場合（ステップＳ１９０８でＹＥＳ）、ＮＦＣメモリ上の起動ジョブ領域１３１２に起動情報２を書き込む。
【０１２６】
印刷指示でない場合（ステップＳ１９０８でＮＯ）、ステップＳ１９０９で、スキャン指示であるか否かを判定する。スキャン指示である場合（ステップＳ１９０９でＹＥＳ）、ＮＦＣメモリ上の起動ジョブ領域１３１２に起動情報３を書き込む。
【０１２７】
スキャン指示でない場合（ステップＳ１９０９でＮＯ）、ステップＳ１９１０で、コピー指示であるか否かを判定する。コピー指示である場合（ステップＳ１９１０でＹＥＳ）、ＮＦＣメモリ上の起動ジョブ領域１３１２に起動情報４を書き込む。
【０１２８】
コピー指示でない場合（ステップＳ１９１０でＮＯ）、ステップＳ１９１１で、ＦＡＸ送信指示であるか否かを判定する。ＦＡＸ送信指示である場合（ステップＳ１９１１でＹＥＳ）、ＮＦＣメモリ上の起動ジョブ領域１３１２に起動情報５を書き込む。
【０１２９】
ＦＡＸ送信指示でない場合（ステップＳ１９１１でＮＯ）、ステップＳ１９１２で、ＦＡＸ受信指示であるか否かを判定する。ＦＡＸ受信指示である場合（ステップＳ１９１２でＹＥＳ）、ＮＦＣメモリ上の起動ジョブ領域１３１２に起動情報６を書き込む。
【０１３０】
ＦＡＸ受信指示でない場合（ステップＳ１９１２でＮＯ）、ステップＳ１９１３で、ＮＦＣメモリ上の起動ジョブ領域１３１２に起動情報７を書き込む。
【０１３１】
ステップＳ１９１４で、ＭＦＰ３００のＣＰＵ８０２は、ＮＦＣユニット８１８のＮＦＣメモリ上の起動ジョブ領域１３１２を監視しておき、０以外の値に変更された場合は、起動情報の値に基づいて装置に電源供給を行い、起動を行う。その後、ＮＦＣユニット８１８のＮＦＣメモリ上の起動ジョブ領域１３１２の起動情報を０に初期化する。
【０１３２】
一方、ステップＳ１９２２で、ソフト電源ＯＦＦモード状態でない場合（ステップＳ１９２２でＮＯ）、ステップＳ１９２３で、ＡＣ−ＯＦＦモード状態である否かを判定する。ＡＣ−ＯＦＦモード状態である場合（ステップＳ１９２３でＹＥＳ）、ステップＳ１９２４で、ＮＦＣユニット８１８のＮＦＣメモリ上に空きがあるか否かを判定する。空きがある場合（ステップＳ１９２４でＹＥＳ）、ステップＳ１９０５で、ＮＦＣユニット８１８のＮＦＣメモリ上の該当の予約領域に予約情報を書き込み、終了する。一方、空きがない場合（ステップＳ１９２４でＮＯ）、ステップＳ１９２５で、ＮＦＣユニット８１８のＮＦＣメモリ上に空きがないことを示すエラー情報を携帯型通信端末装置２００に通知する。これを受けて、携帯型通信端末装置２００は、エラー画面１８３９（図１８（ｉ））を表示する。
【０１３３】
図２０はＭＦＰ３００が通常動作モード状態でない場合、省電力モード状態、ソフト電源ＯＦＦモード状態、ＡＣ−ＯＦＦモード状態の時に携帯型通信端末装置２００から装置設定変更要求を受信した場合の詳細シーケンスを示すフローチャートである。つまり、図２０は、通常動作モード以外の場合の処理である。
【０１３４】
ステップＳ２００１で、ＡＣ−ＯＦＦモード状態であるか否かを判定する。ＡＣ−ＯＦＦモード状態である場合（ステップ２００１でＹＥＳ）、ステップＳ２００２で、ＮＦＣユニット８１８のＮＦＣメモリ上に空きがあるか否かを判定する。空きがある場合（ステップＳ２００２でＹＥＳ）、ステップＳ２００３で、ＮＦＣユニット８１８のＮＦＣメモリ上の設定変更ジョブ１３１１に装置設定情報を書き込む。ステップＳ２００４で、次回電源ＯＮ時にその装置設定情報をＭＦＰ３００の設定情報１２０６に書き込む。
【０１３５】
一方、空きがない場合（ステップＳ２００２でＮＯ）、ステップＳ２００５で、ＮＦＣユニット８１８のＮＦＣメモリ上に空きがないことを示すエラー情報を携帯型通信端末装置２００に通知する。これを受けて、携帯型通信端末装置２００は、エラー画面１８３９を表示する。
【０１３６】
ＡＣ−ＯＦＦモード状態でない場合（ステップ２００１でＮＯ）、ステップＳ２００６で、装置設定変更予約のみであるか否かを判定する。装置設定変更予約のみでない場合（ステップＳ２００６でＮＯ）、ステップＳ２００７で、ＮＦＣユニット８１８のＮＦＣメモリ上の起動ジョブ領域１３１２に起動情報１を書き込む。ステップＳ２００８で、ＭＦＰ３００は起動情報１で指定されている不揮発性メモリにアクセス可能なユニットの電源立ち上げを行う。ステップＳ２００９で、ＭＦＰ３００上の設定情報１２０６に装置設定情報を書き込む。その後、ステップＳ２０１０で、書き込み終了後、前回の装置モード状態、例えば、省電力モード状態に戻す。
【０１３７】
装置設定変更予約のみである場合（ステップＳ２００６でＹＥＳ）、ステップＳ２０１１で、ＮＦＣユニット８１８のＮＦＣメモリ上に空きがあるか否かを判定する。空きがある場合（ステップＳ２０１１でＹＥＳ）、ステップＳ２０１２で、ＮＦＣユニット８１８のＮＦＣメモリ上の設定変更ジョブ１３１１に装置設定情報を書き込む。ステップＳ２０１３で、次回電源ＯＮ時にその装置設定情報をＭＦＰ３００の設定情報１２０６に書き込む。一方、空きがない場合（ステップＳ２０１１でＮＯ）、ステップＳ２００７に進む。
【０１３８】
図２１はＭＦＰ３００が通常動作モード状態でない場合、省電力モード状態、ソフト電源ＯＦＦモード状態、ＡＣ−ＯＦＦモード状態の時に携帯型通信端末装置２００から印刷指示要求を受信した場合の詳細シーケンスを示すフローチャートである。
【０１３９】
ステップＳ２１０１で、ＭＦＰ３００がＡＣ−ＯＦＦモード状態であるか否かを判定する。ＡＣ−ＯＦＦモード状態である場合（ステップＳ２１０１でＹＥＳ）、ステップＳ２１０２で、ＮＦＣユニット８１８のＮＦＣメモリ上に空きがあるか否かを判定する。空きがある場合（ステップＳ２００２でＹＥＳ）、ステップＳ２１０３で、ＮＦＣユニット８１８のＮＦＣメモリ上の印刷ジョブ１３０７に印刷予約情報を書き込む。ステップＳ２１０４で、次回電源ＯＮ時に印刷予約情報通りにＭＦＰ３００で印刷を行う。
【０１４０】
一方、空きがない場合（ステップＳ２１０２でＮＯ）、ステップＳ２１０５で、ＮＦＣユニット８１８のＮＦＣメモリ上に空きがないことを示すエラー情報を携帯型通信端末装置２００に通知する。これを受けて、携帯型通信端末装置２００は、エラー画面１８３９を表示する。
【０１４１】
ＡＣ−ＯＦＦモード状態でない場合（ステップＳ２１０１でＮＯ）、ステップＳ２１０６で、印刷予約のみであるか否かを判定する。印刷予約のみでない場合（ステップＳ２１０６でＮＯ）、ステップＳ２１０７で、ＮＦＣユニット８１８のＮＦＣメモリ上の起動ジョブ領域１３１２に起動情報２を書き込む。ステップＳ２１０８で、ＭＦＰ３００は起動情報２で指定されている印刷動作が可能になるユニットに電源を供給して電源立ち上げを行う。ステップＳ２１０９で、指示された印刷動作を実行する。
【０１４２】
印刷予約のみである場合（ステップＳ２１０６でＹＥＳ）、ステップＳ２１１０で、ＮＦＣユニット８１８のＮＦＣメモリ上に空きがあるか否かを判定する。空きがある場合（ステップＳ２０１１でＹＥＳ）、ステップＳ２１１１で、ＮＦＣユニット８１８のＮＦＣメモリ上の印刷ジョブ１３０７に印刷予約情報を書き込む。ステップＳ２１１２で、次回電源ＯＮ時に印刷予約情報通りにＭＦＰ３００で印刷を行う。
【０１４３】
空きがない場合（ステップＳ２１１０でＮＯ）、ステップＳ２１１３で、ＮＦＣユニット８１８のＮＦＣメモリ上の起動ジョブ領域１３１２に起動情報１を書き込む。ステップＳ２１１４で、ＭＦＰ３００は起動情報１で指定されている不揮発性メモリにアクセス可能になるユニットに電源供給して電源立ち上げを行い、ＭＦＰ３００上のジョブ予約記憶部１２０７に印刷予約情報を書き込む。その後、ステップＳ２１１５で、書き込み終了後、前回の装置モード状態、例えば、省電力モード状態に戻す。
【０１４４】
図２２はＭＦＰ３００が通常動作モード状態でない場合、省電力モード状態、ソフト電源ＯＦＦモード状態、ＡＣ−ＯＦＦモード状態の時に携帯型通信端末装置２００からスキャン指示要求を受信した場合の詳細シーケンスを示すフローチャートである。
【０１４５】
ステップＳ２２０１で、ＭＦＰ３００がＡＣ−ＯＦＦモード状態であるか否かを判定する。ＡＣ−ＯＦＦモード状態である場合（ステップＳ２２０１でＹＥＳ）、ステップＳ２２０２で、ＮＦＣユニット８１８のＮＦＣメモリ上に空きがあるか否かを判定する。空きがある場合（ステップＳ２２０２でＹＥＳ）、ステップＳ２２０３で、ＮＦＣユニット８１８のＮＦＣメモリ上のスキャンジョブ１３０８にスキャン予約情報を書き込む。ステップＳ２２０４で、次回電源ＯＮ時にスキャン予約情報通りにＭＦＰ３００でスキャンを行う。
【０１４６】
一方、空きがない場合（ステップＳ２２０２でＮＯ）、ステップＳ２２０５で、ＮＦＣユニット８１８のＮＦＣメモリ上に空きがないことを示すエラー情報を携帯型通信端末装置２００に通知する。これを受けて、携帯型通信端末装置２００は、エラー画面１８３９を表示する。
【０１４７】
ＡＣ−ＯＦＦモード状態でない場合（ステップＳ２２０１でＮＯ）、ステップＳ２２０６で、スキャン予約のみであるか否かを判定する。スキャン予約のみでない場合（ステップＳ２２０６でＮＯ）、ステップＳ２２０７で、ＮＦＣユニット８１８のＮＦＣメモリ上の起動ジョブ領域１３１２に起動情報３を書き込む。ステップＳ２２０８で、ＭＦＰ３００は起動情報３で指定されているスキャン動作が可能になるユニットに電源供給して電源立ち上げを行う。ステップＳ２２０９で、指示されたスキャン動作を実行する。
【０１４８】
スキャン予約のみである場合（ステップＳ２２０６でＹＥＳ）、ステップＳ２２１０で、ＮＦＣユニット８１８のＮＦＣメモリ上に空きがあるか否かを判定する。空きがある場合（ステップＳ２２１０でＹＥＳ）、ステップＳ２２１１で、ＮＦＣユニット８１８のＮＦＣメモリ上のスキャンジョブ１３０８にスキャン予約情報を書き込む。ステップＳ２２１２で、次回電源ＯＮ時にスキャン予約情報通りにＭＦＰ３００でスキャンを行う。
【０１４９】
空きがない場合（ステップＳ２２１０でＮＯ）、ステップＳ２２１３で、ＮＦＣユニット８１８のＮＦＣメモリ上の起動ジョブ領域１３１２に起動情報１を書き込む。ステップＳ２２１４で、ＭＦＰ３００は起動情報１で指定されている不揮発性メモリにアクセス可能になるユニットに電源供給して電源立ち上げを行い、ＭＦＰ３００上のジョブ予約記憶部１２０７にスキャン予約情報を書き込む。その後、ステップＳ２２１５で、書き込み終了後、前回の装置モード状態、例えば、省電力モード状態に戻す。
【０１５０】
図２３はＭＦＰ３００が通常動作モード状態でない場合、省電力モード状態、ソフト電源ＯＦＦモード状態、ＡＣ−ＯＦＦモード状態の時に携帯型通信端末装置２００からコピー指示要求を受信した場合の詳細シーケンスを示すフローチャートである。
【０１５１】
ステップＳ２３０１で、ＭＦＰ３００がＡＣ−ＯＦＦモード状態であるか否かを判定する。ＡＣ−ＯＦＦモード状態である場合（ステップＳ２３０１でＹＥＳ）、ステップＳ２３０２で、ＮＦＣユニット８１８のＮＦＣメモリ上に空きがあるか否かを判定する。空きがある場合（ステップＳ２３０２でＹＥＳ）、ステップＳ２３０３で、ＮＦＣユニット８１８のＮＦＣメモリ上のコピージョブ１３０９にコピー予約情報を書き込む。ステップＳ２３０４で、次回電源ＯＮ時にコピー予約情報通りにＭＦＰ３００でコピーを行う。
【０１５２】
一方、空きがない場合（ステップＳ２３０２でＮＯ）、ステップＳ２３０５で、ＮＦＣユニット８１８のＮＦＣメモリ上に空きがないことを示すエラー情報を携帯型通信端末装置２００に通知する。これを受けて、携帯型通信端末装置２００は、エラー画面１８３９を表示する。
【０１５３】
ＡＣ−ＯＦＦモード状態でない場合（ステップＳ２３０１でＮＯ）、ステップＳ２３０６で、コピー予約のみかであるか否かを判定する。コピー予約のみでない場合（ステップＳ２３０６でＮＯ）、ステップＳ２３０７で、ＮＦＣユニット８１８のＮＦＣメモリ上の起動ジョブ領域１３１２に起動情報４を書き込む。ステップＳ２３０８で、ＭＦＰ３００は起動情報４で指定されているコピー動作が可能になるユニットに電源供給して電源立ち上げを行う。ステップＳ２３０９で、指示されたコピー動作を行う。
【０１５４】
コピー予約のみである場合（ステップＳ２３０６でＹＥＳ）、ステップＳ２３１０で、ＮＦＣユニット８１８のＮＦＣメモリ上に空きがあるか否かを判定する。空きがある場合（ステップＳ２３１０でＹＥＳ）、ステップＳ２３１１で、ＮＦＣユニット８１８のＮＦＣメモリ上のコピージョブ１３０９にコピー予約情報を書き込む。ステップＳ２３１２で、次回電源ＯＮ時にコピー予約情報通りにＭＦＰ３００でコピーを行う。
【０１５５】
空きがない場合（ステップＳ２３１０でＮＯ）、ステップＳ２３１３で、ＮＦＣユニット８１８のＮＦＣメモリ上の起動ジョブ領域１３１２に起動情報１を書き込む。ステップＳ２３１４で、ＭＦＰ３００は起動情報１で指定されている不揮発性メモリにアクセス可能になるユニットに電源供給して電源立ち上げを行い、ＭＦＰ３００上のジョブ予約記憶部１２０７にコピー予約情報を書き込む。その後、ステップＳ２３１５で、書き込み終了後、前回の装置モード状態、例えば、省電力モード状態に戻す。
【０１５６】
図２４はＭＦＰ３００が通常動作モード状態でない場合、省電力モード状態、ソフト電源ＯＦＦモード状態、ＡＣ−ＯＦＦモード状態の時に携帯型通信端末装置２００からＦＡＸ指示要求を受信した場合の詳細シーケンスを示すフローチャートである。
【０１５７】
ステップＳ２４０１で、ＭＦＰ３００がＡＣ−ＯＦＦモード状態であるか否かを判定する。ＡＣ−ＯＦＦモード状態である場合（ステップＳ２４０１でＹＥＳ）、ステップＳ２４０２で、ＮＦＣユニット８１８のＮＦＣメモリ上に空きがあるか否かを判定する。空きがある場合（ステップＳ２４０２でＹＥＳ）、ステップＳ２４０３で、ＮＦＣユニット８１８のＮＦＣメモリ上のＦＡＸジョブ１３１０にＦＡＸ予約情報を書き込む。ステップＳ２４０４で、次回電源ＯＮ時にＦＡＸ予約情報通りにＭＦＰ３００でＦＡＸを行う。
【０１５８】
一方、空きがない場合（ステップＳ２４０２でＮＯ）、ステップＳ２４０５で、ＮＦＣユニット８１８のＮＦＣメモリ上に空きがないことを示すエラー情報を携帯型通信端末装置２００に通知する。これを受けて、携帯型通信端末装置２００は、エラー画面１８３９を表示する。
【０１５９】
ＡＣ−ＯＦＦモード状態でない場合（ステップＳ２４０１でＮＯ）、ステップＳ２４０６で、ＦＡＸ予約のみであるか否かを判定する。ＦＡＸ予約のみでない場合（ステップＳ２４０６でＮＯ）、ステップＳ２４０７で、ＦＡＸ送信指示であるか否かを判定する。ＦＡＸ送信指示である場合（ステップＳ２４０７でＹＥＳ）、ステップＳ２４０８で、ＮＦＣユニット８１８のＮＦＣメモリ上の起動ジョブ領域１３１２に起動情報５を書き込む。ステップＳ２４０９で、ＭＦＰ３００は起動情報５で指定されているＦＡＸ送信動作が可能になるユニットに電源供給して電源立ち上げを行う。ステップＳ２４１０で、指示されたＦＡＸ送信動作を行う。
【０１６０】
ＦＡＸ受信指示である場合（ステップＳ２４０７でＮＯ）、ステップＳ２４１４で、ＮＦＣユニット８１８のＮＦＣメモリ上の起動ジョブ領域１３１２に起動情報６を書き込む。ステップＳ２４１５で、ＭＦＰ３００は起動情報６で指定されているＦＡＸ送信動作が可能になるユニットに電源供給して電源立ち上げを行う。ステップＳ２４１６で、指示されたＦＡＸ受信動作を行う。
【０１６１】
ＦＡＸ予約のみである場合（ステップＳ２４０６でＹＥＳ）、ステップＳ２４１１で、ＮＦＣユニット８１８のＮＦＣメモリ上に空きがあるか否かを判定。空きがある場合（ステップＳ２４１１でＹＥＳ）、ステップＳ２４１２で、ＮＦＣユニット８１８のＮＦＣメモリ上のＦＡＸジョブ１３１０にＦＡＸ予約情報を書き込む。ステップＳ２４１３で、次回電源ＯＮ時にＦＡＸ予約情報通りにＭＦＰ３００でＦＡＸ動作を行う。
【０１６２】
空きがない場合（ステップＳ２４１１でＮＯ）、ステップＳ２４１７で、ＮＦＣユニット８１８のＮＦＣメモリ上の起動ジョブ領域１３１２に起動情報１を書き込む。ステップＳ２４１８で、ＭＦＰ３００は起動情報１で指定されている不揮発性メモリにアクセス可能になるユニットに電源供給して電源立ち上げを行い、ＭＦＰ３００上のジョブ予約記憶部１２０７にＦＡＸ予約情報を書き込む。その後、ステップＳ２４１９で、書き込み終了後、前回の装置モード状態、例えば、省電力モード状態に戻す。
【０１６３】
以上説明したように、本実施形態によれば、携帯型通信端末装置からの動作要求と、装置の動作状態に応じて、ＭＦＰの起動方法を適応的に切り替えることで、装置の電力消費を浪費しないようにすることができる。より具体的には、ＮＦＣユニットが内蔵するＮＦＣメモリに動作要求が示す動作の予約情報を書き込むことで、ＭＦＰの起動方法を適応的に切り替える。
【０１６４】
尚、以上の実施形態では、装置の動作状態として、通常動作モード、待機電力モード、電源断モードを備え、その３つの状態のそれぞれに応じて、起動方法を切り替える例について説明した。しかしこれに限らず、上記の３つの状態のうち、２つの状態のそれぞれに応じて、動作状態を切り替えてもよい。
【０１６５】
さらに、以上の実施形態では、電磁誘導により電力が供給されるため、ＭＦＰにＡＣ電力が供給されていない状態であっても、ＮＦＣにジョブや動作要求の情報を書き込むことができる。よって、ＭＦＰがジョブを実行するときに、上記のジョブや動作要求の内容を判断することができる。
【０１６６】
また、以上の実施形態では、装置として印刷等の画像処理を行うＭＦＰを例に説明したが、これに限らず、各種のデータを扱う情報処理装置に適用できるものである。
【産業上の利用可能性】
【０１６７】
本発明は、無線通信装置及び無線通信システムで、特に、近接無線通信が可能な装置と、それらの機器間で確立する一対一の接続の確立及びそれらの無線通信システムに利用可能である。
【０１６８】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。また、プログラムを実行するコンピュータは、１つであってもよいし、複数のコンピュータが協働してプログラムを実行するものであってもよい。さらに、プログラムの一部を実行する回路等のハードウェアを設け、そのハードウェアと、ソフトウェアを実行するコンピュータが協働して、本実施形態で説明した処理を実行する場合であってもよい。
【図１】
0006012203.tif 000002
【図２】
0006012203.tif 000003
【図３】
0006012203.tif 000004
【図４】
0006012203.tif 000005
【図５】
0006012203.tif 000006
【図６】
0006012203.tif 000007
【図７】
0006012203.tif 000008
【図８】
0006012203.tif 000009
【図９】
0006012203.tif 000010
【図１０】
0006012203.tif 000011
【図１１】
0006012203.tif 000012
【図１２】
0006012203.tif 000013
【図１３】
0006012203.tif 000014
【図１４】
0006012203.tif 000015
【図１５】
0006012203.tif 000016
【図１６】
0006012203.tif 000017
【図１７】
0006012203.tif 000018
【図１９】
0006012203.tif 000019
【図２０】
0006012203.tif 000020
【図２１】
0006012203.tif 000021
【図２２】
0006012203.tif 000022
【図２３】
0006012203.tif 000023
【図２４】
0006012203.tif 000024
【図１８】
0006012203.tif 000025